(57)【特許請求の範囲】
【請求項１】
電子写真用のトナー分散液であって、
非極性且つ非導電性の液体と、
前記非極性且つ非導電性の液体中に分散している、顔料成分及び樹脂キャリヤーを含んで成るトナー粒子と、
前記樹脂キャリヤー又は前記顔料成分に共有結合している、陽イオンに対し弱い結合性を示す、負に帯電した官能基であって、前記トナー粒子上に負の電荷をもたらす官能基と、
前記非極性且つ非導電性の液体中に分散しており且つ強いキレート化剤によってキレート化されている、金属陽イオン、アンモニウム陽イオン又は有機陽イオンと、
を含んで成り、前記トナー粒子上の負に帯電した前記官能基と、キレート化されている前記陽イオンとの間の電荷の相殺によって分散液の正味の電荷が中性となっている、トナー分散液。
【請求項２】
前記負に帯電した官能基が、カルボン酸基である、請求項１記載のトナー分散液。
【請求項３】
前記負に帯電した官能基が、キノリン酸基である、請求項１記載のトナー分散液。
【請求項４】
前記負に帯電した官能基が、スルホン酸基である、請求項１記載のトナー分散液。
【請求項５】
前記強いキレート化剤が、１８−クラウン−６エーテルを含む、請求項１記載のトナー分散液。
【請求項６】
前記強いキレート化剤が、１５−クラウン−５エーテル、又はＮあるいはＳが置換されたメソ環状クラウンエーテル若しくはマクロ環状クラウンエーテル、又は開環多座配位子を含む、請求項１記載のトナー分散液。
【請求項７】
前記強いキレート化剤が、フタロシアニンあるいは置換フタロシアニン、又はポルフィンあるいは置換ポルフィンである、請求項１記載のトナー分散液。
【請求項８】
電子写真用のトナー分散液を製造する方法であって、
陽イオンに対し弱い結合性を示す、負に帯電した官能基を、顔料成分及び樹脂キャリヤーを含んで成るトナー粒子の前記顔料成分又は前記樹脂キャリヤーに共有結合させて、前記トナー粒子上に弱い結合部位を設ける工程と、
前記弱い結合部位をイオン交換して、金属陽イオン、アンモニウム陽イオン又は有機陽イオンを前記弱い結合部位に供給する工程と、
前記陽イオンを含むトナー粒子を、非極性且つ非導電性の液体中に分散している強いキレート化分子に接触させて、前記陽イオンを前記トナー粒子から遊離させ、前記トナー粒子上に負の電荷を残し、前記陽イオンを前記強いキレート化分子によってキレート化する工程と、
を包含する、方法。
【請求項９】
前記強いキレート化分子の電荷が、中性である、請求項８記載の方法。
【請求項１０】
前記負に帯電した官能基が、カルボン酸基である、請求項８記載の方法。
【請求項１１】
前記負に帯電した官能基が、キノリン酸基である、請求項８記載の方法。
【請求項１２】
前記負に帯電した官能基が、スルホン酸基である、請求項８記載の方法。
【請求項１３】
前記強いキレート化分子が、１８−クラウン−６エーテルを含む、請求項８記載の方法。
【請求項１４】
前記強いキレート化分子が、１５−クラウン−５エーテル、又はＮあるいはＳが置換されたメソ環状クラウンエーテル若しくはマクロ環状クラウンエーテル、又は開環多座配位子を含む、請求項８記載の方法。
【請求項１５】
前記強いキレート化分子が、フタロシアニンあるいは置換フタロシアニン、又はポルフィンあるいは置換ポルフィンである、請求項８記載の方法。
【発明の詳細な説明】
【０００１】
【産業上の利用分野】
本発明は一般的には電子写真法に使用される種類の液体トナー分散液および電子トナーに関する。特に、本発明は液体トナー分散液中の強いキレート化分子(chelating molecule)と接触した後に実効負電荷 (net negative charge)を残す電荷誘導体 (charge directors)を含むトナー粒子に関する。
【０００２】
【従来技術とその問題点】
電子写真法においては帯電された表面の領域を選択的に露光することによって光導電性材料の表面に潜像が生成される。露光表面の領域と露光されなかった表面の領域との間に電荷密度の差が造り出される。顔料成分と熱可塑性成分を含む静電トナーによって可視画像が現像される。光導電体表面、現像電極およびトナーの相対的な静電荷に依存して露光されたか、露光されなかった光導電体表面にトナーが選択的に引きつけられる。光導電体は正に帯電されても、負に帯電されてもよく、同様にトナー系は負に帯電した粒子を含んでいても、正に帯電した粒子を含んでいてもよい。レーザープリンターにおいては、光導電体とトナーが同一の極性であるが大きさが異なる電荷を有する実施態様が好ましい。
【０００３】
次に、一枚の紙または中間転写媒体にトナーの電荷と反対の静電荷が付与され、光導電体表面の近くを通過し、光導電体表面からトナーが、光導電体表面から現像された画像のパターンのまま、紙または中間媒体上に引っぱられる。直接的な転写に次いで、あるいは中間転写媒体を使用するときには間接的な転写に次いで、１組の溶着ローラー (fuser roller)によってトナーが紙上に固着され、プリント画像が形成される。
【０００４】
トナーは、例えば、1957年3月26日発行された米国特許第2,786,440号に記載されているように、ダスト (dust)、すなわち粉末状であってもよいし、樹脂状キャリヤー中の顔料、すなわちトナーであってもよい。トナー粒子は、熱または溶媒蒸気などの既知の手段によって表面に固着されたり、あるいはそれらが同様に固着される他の表面に転写されることで、最初の放射パターンの永久的な複写が生成される。
【０００５】
乾式現像システムは、光導電体表面の粉体分配及び粒子の電荷／質量比を制御することが困難であるという欠点があるため不利である。その上、このシステムでは、過剰量のダストが生成され、そして粉体粒子の大きさが通常5μｍ以上と比較的大きいために高い解像度を得ることが困難であるという欠点も有している。粒子の大きさが5μｍ以下に小さくなると、粒子の分配を制御することはさらに困難となる。これらの欠点の多くは、例えば、1959年10月6日発行の米国特許第2,907,674号に記載されている種類の液体現像剤を使用することによって回避することができる。このような現像剤は、通常、キャリヤーとして機能し且つカーボンブラックなどの顔料をアルキド樹脂などの樹脂状結合剤と組合わせて成る帯電粒子分散物を含む非極性且つ非導電性の液体よりなる。分散粒子の電荷の大きさ及び極性を安定化するために、電荷制御剤がしばしば含まれる。場合によっては、結合剤自体が電荷制御剤（電荷誘導体 (charge director)としても知られている）として機能する。
【０００６】
液体現像剤はトナー転写システムにおいてもしばしば使用される。このように使用される場合、液体現像剤は画像が最初に形成される素子上だけではなくて転写シートまたは受容シートの上でも常に高度に均一な密度を付与しなければならない。
【０００７】
電子写真法においては、トナー粒子を電界によって光導電体表面に向って移動させるためにはトナー粒子が電荷を有することが必要である。乾式粉体系においては、当該原理は容易に実現されるが、液体トナーにおいては比較的困難である。この困難の理由は、液体トナーの溶液相によって、粒子を摩擦帯電させることができないためである。その代りに液体トナーは、それらの化学的性質に起因して、それ自体が永久的に帯電している非特異的に吸着した種に由来して、正規の比較的永久的な電荷を有していなければならない。加えて、粒子上の電荷は、トナーの凝集あるいは不安定化を生じさせてはならないし、粒子上に留まって溶液相のバルク導電性を低く制御された水準に保持しなければならない。
【０００８】
幾つかの特許では、液体電子写真トナーのための電荷誘導の方法が開示されている。米国特許第4,925,766号に開示されている一つの方法では、顔料の樹脂コーティング上に多少とも配位結合する金属イオン（Zr4+など）を供給するために、金属せっけん（Zr4+せっけんなど）を使用することが示されている。Zr4+または他の金属の結合部位を供給するために、官能基を樹脂に含ませることができる。これらの結合官能基は、本特許に示されている（第９、１０欄参照）。これらの官能基は、典型的には、酸素または窒素を有し、金属イオンの配位球体に電子対を付与する。酸素供与体部位は代表的にはカルボン酸やフェノール等、プロトン化されている。代替として、これらの部位は窒素供与体原子またはβ−ジケトン等、プロトン化されていない。このような電子供与基は少なくとも２点で金属原子にキレート化される、すなわち結合するように２座あるいは多座 (bi-dentate or poly-dentate)であることが理想的である。単座配位子とは違ってキレート配位子および他の多座配位子の利点は、これらが金属イオンが実際にトナー粒子上に配置されるが、液相とは会合 (associate)しないという確率を増加させることである。電荷を有する金属種が結合されずに液相中に存在するときには、このことは媒体のバルク相の導電性に寄与するが、電界中でのトナー粒子の移動には寄与しない。実際、このことはその電気泳動移動度がより大きくなるためにトナーの移動を抑制さえする。
【０００９】
これらの金属せっけん電荷誘導系のもう一つの欠点は、それらの多くは、そして最も広く使用されているものはプロトン化結合部位を利用する。これは金属が樹脂中に結合されるときに金属と結合している電荷を有するプロトンはどこかに行かなければならない。プロトンが連続相に入るならば、バックグランドの導電性に寄与し、電界における粒子の移動を抑制する。実際には液体トナー全体中に残留水が存在し、プロトンは残留水へ入り込むことがある。もしこれが起ると、ミクロミセルが生成され、トナーの凝集を促進させる。これはこの種のトナーにおいて観察される凝集という現象の一つの可能な説明である。
【００１０】
もう一つの米国特許第5,045,425号では、樹脂中にサリチル酸イオンを含ませ、そして、分散液にサリチル酸イオンのAl3+錯体を添加することを教示している。この場合、表面のサリチル酸イオン基を有するAl3+錯体の生成定数は大きく、アルミニウムの全濃度が最適化されると、アルミニウムの大部分がトナー粒子の表面と結合する。アルミニウムの残りは液相中で均一に分散された錯体として結合される。トナーの全体的に測定された導電率におけるこれらの錯体の役割は明確ではないが、光導電体の放電領域に向ってトナー粒子が移動することを促進させるためには、何の役割も果さないことは明らかである。
【００１１】
1991年１／２月号、第35巻第１号の「 Journal of Imaging Science」の第55〜58ページに記載されている論文「 Mechanism of Electric Charging of Toner Particles in Nonaqueous Liquid with Carboxylic Acid Charge Additives」）には、電荷誘導体としての電子吸引性基で置換されたカルボン酸を含むトナー粒子が開示されている。この論文で開示されたカルボン酸基はファンデルワールス力によってトナー粒子に結合あるいは会合している。
【００１２】
これらの従来技術の場合には多少とも粒子表面に結合している金属イオンが電荷誘導体として利用される。よって、粒子上に生成された電荷は程度の差はあるが半永久的で、電気的には正である。しかしながら、系における全電荷の少なくとも一部が連続相全体に均一に分配され、粒子上に局在しない確率が高い。
【００１３】
負の電荷誘導を供給するためにレクチンなどの負に帯電した大きい有機種の非特異的吸着に依拠する他の従来のトナー系も存在する。例えば、米国特許第4,897,332号を参照されたい。これらの系（システム）には二つの主要な欠点がある。第１は、電荷が構造の永久的または半永久的部分に結合されず、むしろファンデルワールス力によって前記部分に緩やかに結合していることである。第２に、粒子上に顕著な電荷を得るため、液体トナーに過剰の電荷誘導体物質を添加することが必要なことである。このことは連続相中に未結合の電荷誘導体が過剰に存在し、これは前述するように電界中のトナー粒子の所望の移動が実際的に抑制されしまう。
【００１４】
【発明の目的】
本発明の目的は、上述の問題点を解消し、過剰の電荷誘導剤を用いる必要のない、トナー粒子の移動を妨げることなく、また、凝集することもない電子トナーを提供することにある。
【００１５】
【発明の概要】
本発明は、液体電子写真トナーのための負電荷誘導体を提供するものである。当該電荷誘導体は、トナー粒子を構成する樹脂コーティング（樹脂キャリヤー、結合剤樹脂）あるいは顔料成分に共有結合した、陽イオンに対し極めて弱い結合性を示す、帯電した官能基と、溶液または液相中の非常に強いキレート能を有する、好ましくは電荷的に中性の分子とを含んで成る。樹脂又は顔料上の弱い結合部位には、周知のイオン交換化学によって所望の金属イオンを結合させることができる。好ましい金属イオンは、規制のない、健康や環境の上で問題のない、例えば、K+、Na+、Ca2+、Al3+、Zn2+、Zr4+、Mg2+であり、アンモニウム（NH4+）および有機陽イオン（例えば、RNH3+、R2NH2+、R3NH+およびR4N+であり、ここでRはアルキル基、アリル基またはアリール基である）もまた用い得る。
【００１６】
陽イオンが結合した樹脂は、溶液相中に分散しているキレート分子と接触する。これにより、陽イオンを競う（奪い合う）平衡によって、金属イオンは樹脂から遊離し、キレート分子にキレート化された状態となる。トナー粒子には永久的な実効負電荷が残されるが、全体としては、キレート化された金属イオン種による同等で反対の電荷によって均衡している（電荷が中性に保たれる）。分散液中には電荷の他の源はなく、連続相中には現像を妨害する可能性のある過剰の電荷キャリヤーの存在しないことが好ましい。
【００１７】
【実施例】
図１を参照すると、本発明の液体トナー中に存在している化学平衡10が示されている。化学平衡式の左側には、任意の立体的安定剤重合体部分12を有する中性に帯電しているトナー粒子11と立体的安定剤12と共有結合している負の電荷を有するカルボン酸基13が示されている。カルボン酸基13は、破線14で示されるように金属陽イオンＭ2+と弱く結合している。金属陽イオンは、K+、Na+、Ca2+、Al3+、Zn2+、Zr4+、Mg2+、アンモニウム（NH4+）および有機陽イオン、例えばRNH3+、R2NH2+、R3NH+およびR4N+よりなる群から選ばれ、Rは例えばアルキル基、アリル基またはアリール基である。トナー粒子の中性の電荷は、二つの負に帯電しているカルボン酸基と正に帯電している金属イオンとの密接な (close)結合より得られる。
【００１８】
また、化学平衡式の左側には、任意の立体的安定剤重合体部分16を有する荷電されていないキレート化剤15が示されている。キレート化剤15は、例えば、１８−クラウン・６・エーテルなどの強力なキレート化剤である。トナー粒子11とキレート化剤15は非極性、非導電性液体中に十分に分散されている。
【００１９】
化学平衡式の右側には、負に帯電したトナー粒子18とキレート化金属対イオン19が示されている。トナー18の負電荷は、対応する正に帯電した金属イオンが近くにない状態の、自由に伸びる負に帯電したカルボン酸基よりもたらされる。対イオン19の正電荷は、荷電されていないキレート化剤15によって取囲まれており且つ対応する負に帯電した陰イオンが近くにない状態の、強力にキレート化されている正に帯電した金属陽イオンＭ2+よりもたらされる。
【００２０】
本願明細書については、「結合 (association)」とは、例えば、溶液中の陰イオンと陽イオンのように、永久的な逆の極性あるいは電荷による相互関係を意味する。「錯体化」とは、例えば、金属に対して選択的なイオン交換樹脂の場合のように、同一の原子に由来する複数の共有電子から生ずる化合を意味する「配位」と同じことを意味する。「キレート」とは、同分子中の複数の電子供与原子（窒素、硫黄および酸素など）による錯体化あるいは配位を意味する。「共有結合」とは、例えば、単純な炭化水素等の、異なる原子に由来する複数の共有電子から生ずる化合を意味する。「イオン性」とは、例えば、金属塩のように、ある原子から他の原子へ少なくとも一つの電子が移動することによって生ずる。「ファンデルワールス力」とは、或る原子の変化する双極子モーメントによって生じ、それは、他の原子の双極子モーメントを誘導し、それら２つの双極子の相互作用を引き起こす。
【００２１】
本発明に係る液体トナー分散液のキャリヤー液体として、少なくとも102Ωcmの電気抵抗と3.5を超えない誘電率を有する液体が有用である。キャリヤー液体の一例として、直鎖または分技鎖の脂肪族炭化水素およびこれらのハロゲン置換生成物が挙げられる。これらの物資の例としては、オクタン、イソオクタン、デカン、イソデカン、デカリン、ノナン、ドデカン、イソドデカンなどがある。これらは、Exxon Companyから「Isopar-G」、「Isopar-H」、「Isopar-K」、「Isopar-L」、「Isopar-V」の商品名で販売されているものがある。これらの特定の液体炭化水素は極めて高純度のイソパラフィン炭化水素の限られた留分である。Exxon Companyで市販されているNorpar（商品名）系列の製品などの高純度液状パラフィンも使用される。これらの物資は単独で、あるいは組合わせて使用される。現在のところ「Norpar-12」という商品名のものを使用することが好ましいことがわかっている。
【００２２】
使用される顔料成分はよく知られている。例えば、チャンネル・ブラック (channel black)、ファーネス・ブラック (furnace black)またはランプ・ブラック (lamp black)などのカーボン・ブラックが黒色現像剤の調製に使用される。特に好ましいカーボンブラックの一例は、Cabot社製の「Mogul L」がある。有機顔料、例えば、Phthalocyanine Blue(C.I. No. 74160)、Phthalocyanine Green  (C.I. No. 74260または42040)、Sky Blue  (CI. No. 42780)、Rhodamine(C.I. No. 45170)、Malachite Green(C.I. No. 42000)、Methy1 Violet(C.I. No. 42535)、Peacock Blue(C.I. No. 42090)、Naphthol Green Y (C.I. No. 10006)、Naphthol Yellow S(C.I. No. 10316)、Permanent Red 4R (C.I. No. 12370)、Brilliant Fast Pink(C.I. No. 15865または16105)、Hansa Yellow (C.I. No. 11725)、Benzidine Yellow(C.I. No. 21100)、Lithol Red(C.I. No. 15630)、Lake Red D(C.I. No. 15500)、Brilliant Carmine 6B(C.I. No. 15850)、Permanent Red F5R (C.I. No. 12335)およびPigment Pink 3B(C.I. No. 16015)も好適である。無機顔料、例えば、Berline Blue (C.I. No. Pigment Blue 27)も有用である。さらに、酸化鉄および酸化鉄／磁鉄鉱などの磁性金属酸化物があげられる。カラーインデックス第１巻および第２巻にあるどのような着色剤も顔料成分として使用することができる。
【００２３】
当該技術分野では知られているように、顔料粒子を紙、プラスチックフィルムなどの所望の支持媒体に固着させ、そして顔料の荷電を助長するために結合剤が液体トナー分散液として使用される。このような結合剤は、熱可塑性樹脂または熱硬化性樹脂あるいはエチレン酢酸ビニル（ＥＶＡ）共重合体（デュポン社製のElvax（商標）樹脂）、エチレンの様々な共重合体およびアクリル酸、メタクリル酸とこれらの低級アルキル（C1〜C5）エステルを含むα、β−エチレン系不飽和酸、および他の置換アクリラートの重合体を含んでいる。エチレンとポリスチレンの共重合体と、アイソスタティック（立体規則性、isostatic）ポリプロピレン（結晶）もあげられる。天然ワックス物質および合成ワックス物質も使用される。
【００２４】
本発明に用いられる結合剤樹脂または顔料成分あるいはその両方には、例えば、カルボキシル酸イオン、キノリン酸イオンまたはスルホン酸イオンなどの「弱い」結合性を示す基が組み込まれている。
【００２５】
本発明に係る液体トナー分散液を調製する際、「弱い」結合性を示す基は、イオン交換され、所望の陽イオン形態、好ましくは例えば、Na+、K+、Ca2+またはMg2+の形態になる。そして安定化された、好ましくは荷電されていない「強い」キレート性を示す基が、イオン交換された分散液に添加される。好適な「強い」配位基としては、例えば、１８−クラウン−６エーテルと１５クラウン−５エーテル、フタロシアニンと置換フタロシアニン、ポルフィンと置換ポルフィンおよび少なくとも３個の供与体原子（多座）を有する他のメソ環状(meso-cyclic)またはマクロ環状(macro-cyclic)分子あるいは他の開環またはフレキシブルチェーン分子 (flexible chain molecules)があげられる。
【００２６】
本願明細書における「弱く結合している（弱い結合性を示す）」という用語と「強くキレート化している（強いキレート性を示す）」という用語は、成分の相対的な平衡定数Ｋ1で決まる相対的な用語である。本願発明では、Ｋ1（キレート）／Ｋ1（会合）の比が103以上である場合に、キレートは「強くキレート化されている（強いキレート性を示す）」とし、樹脂または顔料の結合は「弱く結合している（弱い結合性を示す）」とみなされる。
【００２７】
弱い結合性を示すイオン交換基と強いキレート性を示す基を含むこの分散液においては、平衡は、陽イオンとの会合による弱い結合の崩壊及びキレートの生成を助長し、電荷の分離が起こる。
【００２８】
実験例１
樹脂状キャリヤーのイオン交換と分散
Bio Rad Company製の分析級マクロ細孔陽イオン交換樹脂番号AG MP-50（50〜100メッシュ、水素型）約10ｇを室温においてCaCl2飽和溶液に添加し、かくはんして、スラリーを生成した。このスラリーは、樹脂中のH+のすべてをCa2+で完全に交換するのに十分な量よりも多いCa2+を含んでいた。
スラリーは、pHを測定した後、pHが少なくとも7.0になるまで繰返し洗浄した。次に、樹脂から水を取除き、90℃の真空乾燥器中で一晩乾燥させたさ。得られた乾燥樹脂を、乳鉢と乳棒を使用して粉砕し、微粉体にし、粉体4.7653gを200mlのNorpar-12中で高速ミキサーを使用して均質化した。
前述と同じ手法が以下の陽イオン交換樹脂を使用して行なった。
１．Bio-Rex70 （Ca2+）
２．Bio-Rex70 （K+）
３．Chelex 100 （Zr4+）
４．Chelex 100 （Al3+）
【００２９】
強力なキレート化分子の供給
エチレンジアミン四酢酸（EDAT）を、１Ｎ硝酸によって酸性化した。遊離酸は沈殿し、上澄みを取り出した。沈殿を試薬級アセトンで洗浄して、100℃の真空乾燥器中で一晩乾燥した。得られた乾燥キレートを粉砕し、微粉体にした。結晶性１８−クラウン−６エーテルを製造元（Aldrich Chemical Co.)より入手した状態で使用した。
【００３０】
導電率の試験
プロトコル（記録）は以下のものをピコモー (pico-mho)の単位で導電率を測定した。
ａ．ベースライン
ｂ．Norpar  12
ｃ．樹脂状キャリヤーを添加したもの
ｄ．キレート剤を添加したもの
ｅ．樹脂状キャリヤーとキレート剤の両方を添加したもの
結果
１．
ａ．ベース                          0.03
ｂ．Norpar-12                       0.07
ｃ．Cfelex 100（Ｚｎ2+）添加        0.06
ｄ．EDTA添加                         −
ｅ．両方添加                        0.09
２．
ａ．ベース                          0.03
ｂ．Norpar-12                       0.08
ｃ．Cfelex 100（Ａｌ3+）添加        0.08
ｄ．EDTA添加                        0.08
ｅ．両方添加                        0.12
３．
ａ．ベース                          0.03
ｂ．Norpar-12                       0.06
ｃ．Bio-Rex（Ｋ+）添加               −
ｄ．18-クラウン-6添加               0.06
ｅ．両方添加                        0.28
４．
ａ．ベース                          0.03
ｂ．Norpar-12                        −
ｃ．Cfelex 100（Ｋ+）添加           0.05
ｄ．18-クラウン-6添加               0.07
ｅ．両方添加                        0.20
（注）  −  は未測定
【００３１】
これらの結果によって、弱い配位基を有する樹脂状キャリヤーと、強力なキレート化分子の両方を含むNorpar-12トナー分散液の導電率は、添加剤を含まないまたは二つの添加剤のうちの一方のみを含むNorpar 12の同様の分散液の導電率よりも明らかに高いことが立証された。
【００３２】
本発明の一つの利点は、未反応のキレート化剤は電荷を有さず、したがって液体トナーのバルク導電率には影響を及ぼさないことである。また同一の分子に４〜６個の強力なキレート化基が供給されると、これにより、平衡は図１に示された反応の右側の方向に著しく進む。また、未反応の荷電物質が少ないことにより、液体トナー中のミセル生成およびトナーの過度の凝集が最小化される。
【００３３】
以上本願発明の好適な実施例に基づいて詳述してきたが、本発明はこれらの実施例に限定されるものではなくて、特許請求の範囲にしたがって様々に具現化し、実施することができることは当業者にとって明らかなことである。
【００３４】
以上、本発明の実施例について述べてきたが、以下、本発明の各実施態様毎に列挙する。
(1)顔料成分と樹脂状キャリヤーを含有するトナー粒子と、樹脂状キャリヤーまたは顔料成分に共有結合している、陽イオンに対し弱い結合性を示す負荷電官能基と、負荷電官能基と結合している金属陽イオン、アンモニウムイオンまたは有機陽イオンとを含むことを特徴とする電子写真法に用いられる負電荷誘導体。
(2)非極性且つ非導電性液体と、該液体中に分散された顔料成分と樹脂状キャリヤーを含有するトナー粒子と、樹脂状キャリヤーまたは顔料成分に共有結合している、陽イオンに対し非常に弱い結合性を示す負荷電官能基と、強いキレート化剤によって強くキレート化されている金属陽イオン、アンモニウムイオンまたは有機陽イオンとを含む液体トナー分散液。
(3) 強いキレート化剤は１８ークラウン−６エーテルであることを特徴とする前項(2)記載の液体トナー分散液。
(4) 強いキレート化剤は１５−クラウン−５エーテルであることを特徴とする前項(2)記載の液体トナー分散液。
(5) 強いキレート化剤はフタロシアニンまたは置換フタロシアニンあるいはポルフィンまたは置換ポルフィンであることを特徴とする前項(2)記載の液体トナー分散液。
(6)顔料成分と樹脂状キャリヤーを含有するトナー粒子の顔料成分に共有結合している、陽イオンに対し非常に弱い結合性を示す負荷電官能基を含ませ、弱い結合部位を供給する工程と、弱い結合部位をイオン交換して金属陽イオン、アンモニウムイオンまたは有機陽イオンをその部位に供給する工程と、金属陽イオンを含むトナー粒子を、非極性且つ非導電性の液体中の強いキレート性を示す分子に接触させる工程とを含む電子写真のための液体トナー分散液を調製する方法。
(7)強いキレート化分子は電荷的には中性であることを特徴とする前項(6)記載の方法。
(8)強いキレート化分子は１８ークラウン−６エーテルであることを特徴とする前項(6)記載の方法。
(9)強いキレート化分子は１５−クラウン−５エーテルであることを特徴とする前項(6)記載の方法。
(10)強いキレート化分子はフタロシアニンまたは置換フタロシアニンあるいはポルフィンまたは置換ポルフィンであることを特徴とする前項(6)記載の方法。
【００３５】
【発明の効果】
以上説明したように、本願発明に係る電子トナーによって、過剰の電荷誘導剤を包含することなく、未反応のキレート剤は荷電されていないことよりトナーの導電性に影響を与えることない。また、本願の好適な実施例例示した強力なキレート化剤を用いることより、電子トナーは遊離状態となり、移動が容易となる。また、トナーに存在している未反応の荷電物質が少ないことより、ミセルの形成やトナーの凝集を抑えることができる。
【図面の簡単な説明】
図１は、本発明の一実施例であるトナーの化学平衡を示す図。
【図１】
0003902675.tif 000002